(57)【要約】    【課題】セキュリティ異常を検知した警報報知器から鳴動されインターホン親機のマイクへと入力される警報音の影響を受けずに、インターホン親機において集合玄関機または管理室親機との間でハンズフリー通話を行う。    【解決手段】セキュリティ異常を検知した警報報知器４ａ、４ｂ、・・・から鳴動されインターホン親機３ａ、３ｂ、・・・のマイク３３へと入力される警報音を、当該インターホン親機の送話系フィルタ回路３９、例えば、バンドエリミネーションフィルタまたはノッチフィルタにて構成された送話系フィルタ回路を介して除去することにより、集合玄関機１または管理室親機２との間で行われるハンズフリー通話の送話レベルおよび受話レベルを監視する送受話レベル調整回路３７は、警報音の影響を受けずに送話レベルおよび受話レベルに応じた送話および／または受話の増幅度を可変させることができる。  【選択図】図１
2006042040.tif 000002
【特許請求の範囲】
【請求項１】
集合住宅のエントランスに設置される集合玄関機（１）と、前記集合住宅の管理室に設置される管理室親機（２）と、前記集合住宅の各住戸に設置され前記集合玄関機または前記管理室親機との間でハンズフリー通話を行うためのインターホン親機（３ａ、３ｂ、・・・、）と、前記各住戸内にて発生したセキュリティ異常を検知し前記インターホン親機にセキュリティ異常信号を出力するとともに警報音を鳴動するための警報報知器（４ａ、４ｂ、・・・）と、前記集合玄関機または前記管理室親機と前記インターホン親機との間の呼出制御および通話制御を行うための制御機（５）とを備え、
前記インターホン親機は、前記集合玄関機または前記管理室親機との間で前記ハンズフリー通話を行うためのマイク（３３）およびスピーカ（３４）と、前記警報報知器からの前記セキュリティ異常信号を検出するためのＣＰＵ（４１）と、前記集合玄関機または前記管理室親機との間で行われる前記ハンズフリー通話の送話レベルおよび受話レベルを監視し、前記送話レベルおよび前記受話レベルに応じて送話および／または受話の増幅度を可変させるための送受話レベル調整回路（３７）と、前記セキュリティ異常信号を検出した前記ＣＰＵにより制御され、前記警報報知器から鳴動され前記マイクへと入力される前記警報音を除去するための送話系フィルタ回路（３９）とを有することを特徴とする集合住宅インターホンシステム。
【請求項２】
前記インターホン親機の送話系フィルタ回路は、バンドエリミネーションフィルタまたはノッチフィルタにて構成されることを特徴とする請求項１記載の集合住宅インターホンシステム。
【請求項３】
前記インターホン親機は、前記集合玄関機または前記管理室親機との間で前記ハンズフリー通話を行うためのマイク（３３）およびスピーカ（３４）と、前記警報報知器からの前記セキュリティ異常信号を検出するためのＣＰＵ（５１）と、前記集合玄関機または前記管理室親機との間で行われる前記ハンズフリー通話の送話レベルおよび受話レベルを監視し、前記送話レベルおよび前記受話レベルに応じて送話および／または受話の増幅度を可変させるための送受話レベル調整回路（３７）と、前記セキュリティ異常信号を検出した前記ＣＰＵにより制御され、前記送話レベルを調整するための送話レベル調整回路（５０）とを有することを特徴とする請求項１記載の集合住宅インターホンシステム。
【請求項４】
前記インターホン親機は、前記集合玄関機または前記管理室親機との間で前記ハンズフリー通話を行うためのマイク（３３）およびスピーカ（３４）と、前記警報報知器からの前記セキュリティ異常信号を検出するためのＣＰＵ（６１）と、前記集合玄関機または前記管理室親機との間で行われる前記ハンズフリー通話の送話レベルおよび受話レベルを監視し、前記送話レベルおよび前記受話レベルに応じて送話および／または受話の増幅度を可変させるための送受話レベル調整回路（３７）と、前記セキュリティ異常信号を検出した前記ＣＰＵにより制御され、前記受話レベルを調整するための受話レベル調整回路（６０）とを有することを特徴とする請求項１記載の集合住宅インターホンシステム。
【請求項５】
前記インターホン親機は、前記集合玄関機または前記管理室親機との間で前記ハンズフリー通話を行うためのマイク（３３）およびスピーカ（３４）と、前記警報報知器からのセキュリティ異常信号を検出するためのＣＰＵ（７１）と、前記集合玄関機または前記管理室親機との間で行われる前記ハンズフリー通話の送話レベルおよび受話レベルを監視し、前記送話レベルおよび前記受話レベルに応じて送話および／または受話の増幅度を可変させるための送受話レベル調整回路（３７）と、前記セキュリティ異常信号を検出した前記ＣＰＵにより制御され、前記送受話レベル調整回路の受話側をバイパスし、通話中における任意の受話音声を前記スピーカから出力させるための受話バイパス回路（７０）とを有することを特徴とする請求項１記載の集合住宅インターホンシステム。
【請求項６】
前記インターホン親機は、前記集合玄関機または前記管理室親機との間で前記ハンズフリー通話を行うためのマイク（３３）およびスピーカ（３４）と、前記警報報知器からの前記セキュリティ異常信号を検出するためのＣＰＵ（８１）と、前記集合玄関機または前記管理室親機との間で行われる前記ハンズフリー通話の送話レベルおよび受話レベルを監視し、前記送話レベルおよび前記受話レベルに応じて送話および／または受話の増幅度を可変させるための送受話レベル調整回路（３７）と、前記セキュリティ異常信号を検出した前記ＣＰＵにより制御され、前記送受話レベル調整回路の受話側をバイパスし、通話中における任意の受話音声を前記スピーカから出力させるための受話バイパス回路（７０）と、前記受話バイパス回路が動作したときに前記受話レベルを調整するための受話レベル調整回路（８０）とを有することを特徴とする請求項１記載の集合住宅インターホンシステム。
【請求項７】
前記インターホン親機は、前記集合玄関機または前記管理室親機との間で前記ハンズフリー通話を行うためのマイク（３３）およびスピーカ（３４）と、前記警報報知器からの前記セキュリティ異常信号を検出するためのＣＰＵ（９１）と、前記集合玄関機または前記管理室親機との間で行われる前記ハンズフリー通話の送話レベルおよび受話レベルを監視し、前記送話レベルおよび前記受話レベルに応じて送話および／または受話の増幅度を可変させるための送受話レベル調整回路（３７）と、前記セキュリティ異常信号を検出した前記ＣＰＵにより制御され、前記送受話レベル調整回路の受話側をバイパスし、通話中における任意の受話音声を前記スピーカから出力させるための受話バイパス回路（７０）と、前記受話バイパス回路が動作したときに前記送受話レベル調整回路の受話側を遮断するための受話ライン制御回路（９０）とを有することを特徴とする請求項１記載の集合住宅インターホンシステム。
【発明の詳細な説明】
【技術分野】
【０００１】
本発明は集合住宅インターホンシステムに係り、特に、セキュリティ異常を検知した警報報知器から警報音が鳴動されている場合であっても、インターホン親機において集合玄関機または管理室親機との間でハンズフリー通話を行うことができる集合住宅インターホンシステムに関する。
【背景技術】
【０００２】
従来から、集合住宅の各住戸に住宅情報盤親機を設置し、この住宅情報盤親機に火災感知器などの遠隔試験機能を有する感知器やガス漏れ感知器、ＣＯ濃度感知器などを接続させるとともに映像制御盤を介して警報監視盤を接続させた集合住宅用ハンズフリーシステムが提案されている（例えば、特許文献１を参照）
従来例の集合住宅用ハンズフリーシステムにおいて、例えば、集合住宅の各住戸内にて発生した火災を感知器が感知すると、この感知器に接続された住宅情報盤親機にて所定の警報が出力されるとともに、警報監視盤が呼び出され、これに応答した警報監視盤が住宅情報盤親機を呼び出すことにより、住宅情報監視盤と警報監視盤との間の通話路が形成されてハンズフリー通話を行うことができる。
【０００３】
【特許文献１】特開２００３−３７６７８号公報（段落番号００１６〜００１９、００２６、図１、図２）
【発明の開示】
【発明が解決しようとする課題】
【０００４】
しかしながら、従来例の集合住宅用ハンズフリーシステムにおいて、感知器に警報音を鳴動するような自己発報機能が備えられていると、この警報音が住宅情報盤親機のマイクへと入力され、住宅情報監視盤との間で通話路が形成されている警報監視盤のスピーカから鳴動することにより、警報監視盤から住宅情報監視盤への送話ができなくなる虞があった。
【０００５】
本発明は、前述の難点を解消するためになされたもので、セキュリティ異常を検知した警報報知器から鳴動されインターホン親機のマイクへと入力される警報音の影響を受けずに、インターホン親機において集合玄関機または管理室親機との間でハンズフリー通話を行うことができる集合住宅インターホンシステムを提供することを目的としている。
【課題を解決するための手段】
【０００６】
前述の目的を達成するため、本発明の集合住宅インターホンシステムは、集合住宅のエントランスに設置される集合玄関機と、集合住宅の管理室に設置される管理室親機と、集合住宅の各住戸に設置され集合玄関機または管理室親機との間でハンズフリー通話を行うためのインターホン親機と、各住戸内にて発生したセキュリティ異常を検知しインターホン親機にセキュリティ異常信号を出力するとともに警報音を鳴動するための警報報知器と、集合玄関機または管理室親機とインターホン親機との間の呼出制御および通話制御を行うための制御機とを備えている。インターホン親機は、集合玄関機または管理室親機との間でハンズフリー通話を行うためのマイクおよびスピーカと、警報報知器からのキュリティ異常信号を検出するためのＣＰＵと、集合玄関機または前記管理室親機との間で行われるハンズフリー通話の送話レベルおよび受話レベルを監視し、送話レベルおよび受話レベルに応じて送話および／または受話の増幅度を可変させるための送受話レベル調整回路と、セキュリティ異常信号を検出したＣＰＵにより制御され、警報報知器から鳴動されマイクへと入力される警報音を除去するための送話系フィルタ回路とを有している。
【０００７】
また、本発明の集合住宅インターホンシステムにおいて、インターホン親機の送話系フィルタ回路は、バンドエリミネーションフィルタまたはノッチフィルタにて構成されている。
【０００８】
また、本発明の集合住宅インターホンシステムにおいて、インターホン親機は、集合玄関機または管理室親機との間でハンズフリー通話を行うためのマイクおよびスピーカと、警報報知器からのセキュリティ異常信号を検出するためのＣＰＵと、集合玄関機または管理室親機との間で行われるハンズフリー通話の送話レベルおよび受話レベルを監視し、送話レベルおよび受話レベルに応じて送話および／または受話の増幅度を可変させるための送受話レベル調整回路と、セキュリティ異常信号を検出したＣＰＵにより制御され、送話レベルを調整するための送話レベル調整回路とを有している。
【０００９】
また、本発明の集合住宅インターホンシステムにおいて、インターホン親機は、集合玄関機または管理室親機との間でハンズフリー通話を行うためのマイクおよびスピーカと、警報報知器からのセキュリティ異常信号を検出するためのＣＰＵと、集合玄関機または管理室親機との間で行われるハンズフリー通話の送話レベルおよび受話レベルを監視し、送話レベルおよび受話レベルに応じて送話および／または受話の増幅度を可変させるための送受話レベル調整回路と、セキュリティ異常信号を検出したＣＰＵにより制御され、受話レベルを調整するための受話レベル調整回路とを有している。
【００１０】
また、本発明の集合住宅インターホンシステムにおいて、インターホン親機は、集合玄関機または管理室親機との間でハンズフリー通話を行うためのマイクおよびスピーカと、警報報知器からのセキュリティ異常信号を検出するためのＣＰＵと、集合玄関機または管理室親機との間で行われるハンズフリー通話の送話レベルおよび受話レベルを監視し、送話レベルおよび受話レベルに応じて送話および／または受話の増幅度を可変させるための送受話レベル調整回路と、セキュリティ異常信号を検出したＣＰＵにより制御され、送受話レベル調整回路の受話側をバイパスし、通話中における任意の受話音声をスピーカから出力させるための受話バイパス回路とを有している。
【００１１】
また、本発明の集合住宅インターホンシステムにおいて、インターホン親機は、集合玄関機または管理室親機との間でハンズフリー通話を行うためのマイクおよびスピーカと、警報報知器からのセキュリティ異常信号を検出するためのＣＰＵと、集合玄関機または管理室親機との間で行われるハンズフリー通話の送話レベルおよび受話レベルを監視し、送話レベルおよび受話レベルに応じて送話および／または受話の増幅度を可変させるための送受話レベル調整回路と、セキュリティ異常信号を検出したＣＰＵにより制御され、送受話レベル調整回路の受話側をバイパスし、通話中における任意の受話音声をスピーカから出力させるための受話バイパス回路と、受話バイパス回路が動作したときに受話レベルを調整するための受話レベル調整回路とを有している。
【００１２】
また、本発明の集合住宅インターホンシステムにおいて、インターホン親機は、集合玄関機または管理室親機との間でハンズフリー通話を行うためのマイクおよびスピーカと、警報報知器からのセキュリティ異常信号を検出するためのＣＰＵと、集合玄関機または管理室親機との間で行われるハンズフリー通話の送話レベルおよび受話レベルを監視し、送話レベルおよび受話レベルに応じて送話および／または受話の増幅度を可変させるための送受話レベル調整回路と、セキュリティ異常信号を検出したＣＰＵにより制御され、送受話レベル調整回路の受話側をバイパスし、通話中における任意の受話音声をスピーカから出力させるための受話バイパス回路と、受話バイパス回路が動作したときに送受話レベル調整回路の受話側を遮断するための受話ライン制御回路とを有している。
【発明の効果】
【００１３】
本発明の集合住宅インターホンシステムによれば、セキュリティ異常を検知した警報報知器から鳴動されインターホン親機のマイクへと入力される警報音を、送話系フィルタ回路、例えば、バンドエリミネーションフィルタまたはノッチフィルタにて構成された送話系フィルタ回路を介して除去することにより、集合玄関機または管理室親機との間で行われるハンズフリー通話の送話レベルおよび受話レベルを監視する送受話レベル調整回路は、警報音の影響を受けずに送話レベルおよび受話レベルに応じた送話および／または受話の増幅度を可変させることができ、警報発報時であっても、インターホン親機において集合玄関機または管理室親機との間のハンズフリー通話が確保される。
【００１４】
また、本発明の集合住宅インターホンシステムによれば、セキュリティ異常を検知した警報報知器から鳴動されインターホン親機のマイクへと入力される警報音および送話音声の送話レベルを、送話レベル調整回路を介して低くなるように調整することにより、集合玄関機または管理室親機との間で行われるハンズフリー通話の送話レベルおよび受話レベルを監視する送受話レベル調整回路は、警報音の影響を受けずに送話レベルおよび受話レベルに応じた送話および／または受話の増幅度を可変させることができ、警報発報時であっても、インターホン親機において集合玄関機または管理室親機との間のハンズフリー通話が確保される。
【００１５】
また、本発明の集合住宅インターホンシステムによれば、インターホン親機との間で通話を行うために集合玄関機または管理室親機から伝送されてくる受話音声の受話レベルを、受話レベル調整回路を介して高くなるように調整することにより、集合玄関機または管理室親機との間で行われるハンズフリー通話の送話レベルおよび受話レベルを監視する送受話レベル調整回路は、セキュリティ異常を検知した警報報知器から鳴動されインターホン親機のマイクへと入力される警報音の影響を受けずに送話レベルおよび受話レベルに応じた送話および／または受話の増幅度を可変させることができ、警報発報時であっても、インターホン親機において集合玄関機または管理室親機との間のハンズフリー通話が確保される。
【００１６】
また、本発明の集合住宅インターホンシステムによれば、インターホン親機との間で通話を行うために集合玄関機または管理室親機から伝送されてくる受話音声を、受話バイパス回路を介して通話中における任意の受話音声としてスピーカから出力させることにより、集合玄関機または管理室親機との間で行われるハンズフリー通話の送話レベルおよび受話レベルを監視する送受話レベル調整回路による調整を行わずともセキュリティ異常を検知した警報報知器から鳴動されインターホン親機のマイクへと入力される警報音の影響を受けず、警報発報時であっても、インターホン親機において集合玄関機または管理室親機との間のハンズフリー通話が確保される。
【００１７】
また、本発明の集合住宅インターホンシステムによれば、インターホン親機との間で通話を行うために集合玄関機または管理室親機から伝送されてくる受話音声を、受話バイパス回路を介して通話中における任意の受話音声としてスピーカから出力させるるとともに、この受話音声の受話レベルを、当該インターホン親機の受話レベル調整回路を介して高くなるように調整することにより、集合玄関機または管理室親機との間で行われるハンズフリー通話の送話レベルおよび受話レベルを監視する送受話レベル調整回路による調整を行わずともセキュリティ異常を検知した警報報知器から鳴動されインターホン親機のマイクへと入力される警報音の影響を受けず、或いは、警報音の影響を受けずに送話レベルおよび受話レベルに応じた送話および／または受話の増幅度を送受話レベル調整回路を介して可変させることができ、警報発報時であっても、インターホン親機において集合玄関機または管理室親機との間のハンズフリー通話が確保される。
【００１８】
さらに、本発明の集合住宅インターホンシステムによれば、インターホン親機との間で通話を行うために集合玄関機または管理室親機から伝送されてくる受話音声を、受話バイパス回路を介して通話中における任意の受話音声としてスピーカから出力させるるとともに、受話ライン制御回路によって送受話レベル調整回路への受話音声の伝送を遮断することにより、集合玄関機または管理室親機との間で行われるハンズフリー通話の送話レベルおよび受話レベルを監視する送受話レベル調整回路による調整を受話レベルの変動に関係なく調整できるばかりでなく、セキュリティ異常を検知した警報報知器から鳴動されインターホン親機のマイクへと入力される警報音の影響を受けず、警報発報時であっても、インターホン親機において集合玄関機または管理室親機との間のハンズフリー通話が確保される。
【発明を実施するための最良の形態】
【００１９】
以下、本発明の集合住宅インターホンシステムを適用した最良の実施の形態例について、図面を参照して説明する。
【００２０】
図１は、本発明の実施例による集合住宅インターホンシステムにおいて、第１の構成例としてのインターホン親機３ａ、３ｂ、・・・が備えられた当該システムの構成を示すブロック図である。
【００２１】
図１のブロック図に示す集合住宅インターホンシステムは、集合住宅のエントランス（集合玄関）に設置され、来訪者が１０１号室、１０２号室、・・・のような各住戸のうち特定の住戸内に在室中の居住者を呼び出して通話（ハンズフリー通話またはハンドセット通話）を行うための集合玄関機１と、集合住宅の管理室に設置され、来訪者からの呼び出しが報知され、この呼び出しに応答した管理人が通話（ハンズフリー通話またはハンドセット通話）を行うとともに、管理人が特定の住戸内に在室中の居住者との間で呼び出し、通話（ハンズフリー通話またはハンドセット通話）を行うための管理室親機２と、集合住宅の各住戸、ここでは、前述のような１０１号室、１０２号室、・・・にそれぞれ設置され、来訪者からの呼び出しが報知され、この呼び出しを確認した居住者が応答してハンズフリー通話を行うとともに、居住者が管理人との間で呼び出し、ハンズフリー通話を行うための（複数の）インターホン親機３ａ、３ｂ、・・・と、集合住宅の各住戸内にて発生したガス漏れ、水漏れ、火災等のセキュリティ異常を検知（感知と同意）して自住戸内のインターホン親機３ａ、３ｂ、・・・にセキュリティ異常信号を出力するとともに、検知されたセキュリティ異常の内容を示す警報音を鳴動するための（複数の）警報報知器４ａ、４ｂ、・・・と、集合玄関機１または管理室親機２とインターホン親機３ａ、３ｂ、・・・との間の呼出制御および通話制御を行うための制御機５とを備えている。
【００２２】
図１のブロック図において、第１の構成例としてのインターホン親機３ａ、３ｂ、・・・はそれぞれ同様な構成であり、自局のインターホン親機に接続された警報報知器４ａ、４ｂ、・・・からのセキュリティ異常信号を受信するためのインターフェース（以下、警報報知器側Ｉ／Ｆという。）３０と、制御機５との間で呼出信号、音声信号、各種の制御信号（詳述せず）等を送受信するためのインターフェース（以下、制御機側Ｉ／Ｆという。）３１と、来訪者による集合玄関機１からの呼び出し、または管理人による管理室親機２からの呼び出しを受け、これらの呼び出しを確認した居住者がハンズフリー通話に入るために操作する通話ボタン３２と、集合玄関機１の送受話機能（詳述せず）または管理室親機２の送受話機能（詳述せず）との間でハンズフリー通話を行うための音声（送話音声、受話音声）を入出力するマイク３３およびスピーカ３４と、来訪者による集合玄関機１からの呼び出し、または管理人による管理室親機２からの呼び出しを検出した後述するＣＰＵ４１、或いはセキュリティ異常信号を検出した後述するＣＰＵ４１により制御され、来訪者による集合玄関機１からの呼び出し、または管理人による管理室親機２からの呼び出しがある旨の呼出音（音声メッセージを含む）や自住戸内の警報報知器４ａ、４ｂ、・・・にて検知されたセキュリティ異常の内容を示す警報音（音声メッセージを含む）が予め記憶されたＲＯＭ（Read Only Memory）、ＲＡＭ（Random Access Memory）等のメモリ３５と、メモリ３５から読み出された呼出音（音声メッセージを含む）や警報音（音声メッセージを含む）を増幅してスピーカ３４から放音／鳴動させるためのアンプ（以下、報知用アンプという。）３６と、通話ボタン３２の操作を検出した後述するＣＰＵ４１により制御され、集合玄関機１の送受話機能（詳述せず）または管理室親機２の送受話機能（詳述せず）との間で行われるハンズフリー通話の送話レベルおよび受話レベルを監視し、当該送話レベルおよび受話レベルに応じて送話および／または受話の増幅度、すなわち、増幅利得を可変させるための送話側利得可変アンプ３７ａおよび受話側利得可変アンプ３７ｂを備えた送受話レベル調整回路３７と、送受話レベル調整回路３７の受話側利得可変アンプ３７ａおよびスピーカ３４の間に介在され、受話レベルを増幅するためのアンプ（以下、受話用アンプという。）３８と、マイク３３および送受話レベル調整回路３７の送話側利得可変アンプ３７ａの間に介在され、セキュリティ異常信号を検出した後述するＣＰＵ４１により制御され、自住戸内の警報報知器４ａ、４ｂ、・・・から鳴動されマイク３３へと入力された警報音を除去するための送話系フィルタ回路３９と、通話ボタン３２の操作を検出した後述するＣＰＵ４１により制御され、制御機側Ｉ／Ｆ３１と送受話レベル調整回路３７の送話側利得可変アンプ３７ａおよび受話側利得可変アンプ３７ｂとの間で送受信される音声信号（送話音声信号、受話音声信号）をそれぞれ４線／２線変換、２線／４線変換するためのハイブリッド回路４０と、集合玄関機１または管理室親機２からの呼出信号や自局のインターホン親機に接続された警報報知器４ａ、４ｂ、・・・からのセキュリティ異常信号を検出して、当該インターホン親機の構成各部をそれぞれ制御するためのＣＰＵ４１とを有している。
【００２３】
なお、図１のブロック図に示すインターホン親機３ａ、３ｂ、・・・において、送話系フィルタ回路３９は、バンドエリミネーションまたはノッチフィルタにて構成されている。
【００２４】
インターホン親機３ａ、３ｂ、・・・が図１のブロック図に示す第１の構成例として構成された本発明の実施例による集合住宅インターホンシステムにおいて、以下、具体的な動作を第１の動作例として説明する。
【００２５】
図１のブロック図において、集合住宅の各住戸のうち、ここでは、１０１号室内にてセキュリティ異常が発生する、例えば、ガス漏れが発生すると、このセキュリティ異常を検知した警報報知器４ａでは、自住戸（１０１号室内）内にてガス漏れが発生した旨のセキュリティ異常信号を生成してインターホン親機３ａに出力するとともに、自住戸（１０１号室内）内にてガス漏れが発生した旨の警報音、例えば、「プープー」といった警報音を鳴動する。また、警報報知器４ａから出力されたセキュリティ異常信号は、インターホン親機３ａの警報報知器側Ｉ／Ｆ３０にて受信された後、ＣＰＵ４１へと伝送される。
【００２６】
インターホン親機３ａのＣＰＵ４１は、警報報知器４ａからのセキュリテ異常信号をもとに自住戸（１０１号室）内にてガス漏れが発生したことを検出し、その旨の警報音（音声メッセージを含む）をメモリ３５から読み出す。また、メモリ３５から読み出された警報音（音声メッセージを含む）は、報知用アンプ３６を介して増幅された後、例えば、「プープー、ガス漏れが発生しました。」といった警報音（音声メッセージを含む）でスピーカ３４から鳴動され、１０１号室内に在室中の居住者に対しての警報報知が行われる。
【００２７】
なお、制御機５は、インターホン親機３ａのＣＰＵ４１にて生成される警報移報信号（詳述せず）をもとに１０１号室内にてガス漏れが発生したことを検出し、検出されたセキュリティ異常の情報を集合玄関機１、管理室親機２や１階全ての各住戸に設置された当該インターホン親機および１０１号室の直上階である２０１号室に設置された当該インターホン親機のように所定の機器へと警報移報することもできる。
【００２８】
次に、前述のような警報音の鳴動が警報報知器４ａにて断続して行われているセキュリティ異常時において、集合住宅のエントランスに居る来訪者、または集合住宅の管理室内に在室中の管理人が１０１号室内に在室中の居住者を呼び出すために所定の呼出操作（詳述せず）を行う、或いは、前述の警報移報を確認した管理人が所定の応答操作（詳述せず）を行う、ここでは、管理人が所定の呼出操作を行うと、インターホン親機３ａを指定するための親機番号（詳述せず）を付加させた呼出信号が生成される。この呼出信号は、管理室親機２から制御機５、全てのインターホン親機３ａ、３ｂ、・・・の制御機側Ｉ／Ｆ３１（３１、３１、・・・）を介してＣＰＵ４１（４１、４１、・・・）へとそれぞれ伝送される。
【００２９】
全てのインターホン親機３ａ、３ｂ、・・・のＣＰＵ４１（４１、４１、・・・）は、それぞれ管理室親機２からの呼出信号に付加されている親機番号と自局のインターホン親機の親機番号とを照合する。ここでは、インターホン親機３ａのＣＰＵ４１のみ親機番号が一致する。これを検出したＣＰＵ４１は、集合住宅の管理室内に在室中の管理人からの呼び出しがある旨の呼出音（音声メッセージ）をメモリ３５から読み出す。また、メモリ３５から読み出された呼出音（音声メッセージを含む）は、報知用アンプ３６を介して増幅された後、例えば、「ピンポーン、管理人からの呼び出しです。」といった呼出音（音声メッセージを含む）でスピーカ３４から（一定時間内）放音され、１０１号室内に在室中の居住者に対しての呼出報知が行われる。
【００３０】
次に、前述のような呼出報知を確認した１０１号室内に在室中の居住者が集合住宅の管理室内に在室中の管理人との間で通話（ハンズフリー通話）に入るためにインターホン親機３の通話ボタン３２を操作すると、この応答操作とともに警報報知器４ａからのセキュリティ異常信号を継続して検出しているＣＰＵ４１により送受話レベル調整回路３７、送話系フィルタ回路３９、ハイブリッド回路４０がそれぞれ制御され、居住者が使用するマイク３３から送話系フィルタ回路３９、送受話レベル調整回路３７の送話側利得可変アンプ３７ａ、ハイブリッド回路４０、制御機側Ｉ／Ｆ３１、制御機５を介して管理人が使用する管理室親機２の受話機能（詳述せず）への通話路と、管理人が使用する管理室親機２の送話機能（詳述せず）から制御機５、インターホン親機３ａの制御機側Ｉ／Ｆ３１、ハイブリッド回路４０、送受話レベル調整回路３７の受話側利得可変アンプ３７ｂ、受話用アンプ３８を介して居住者が使用するスピーカ３４への通話路とがそれぞれ形成される。
【００３１】
ここで、前述の形成されたそれぞれの通話路を介して１０１号室内に在室中の居住者が集合住宅の管理室内に在室中の管理人との間でハンズフリー通話を行うにあたり、インターホン親機３ａのマイク３３には、居住者の送話音声のみならず自住戸（１０１号室）内の警報報知器４ａから断続して鳴動されている警報音が入力される。また、インターホン親機３ａの送話系フィルタ回路３９、ここでは、バンドエリミネーションまたはノッチフィルタにて構成されている送話系フィルタ回路３９は、マイク３３に入力された警報音を除去し、居住者の送話音声であり、適宜、信号処理された送話音声信号のみを送受話レベル調整回路３７の送話側利得可変アンプ３７ａへと出力する。
【００３２】
また、インターホン親機３ａの送受話レベル調整回路３７は、送話系フィルタ回路３９を介して警報音が除去された居住者の送話音声信号の送話レベルおよびハイブリッド回路４０を介して２線／４線変換された来訪者からの受話音声信号の受話レベルを監視しており、当該送話レベルおよび受話レベルに応じて送話側利得可変アンプ３７ａの増幅度および／または受話側利得可変アンプ３７ｂの増幅度を可変させる。ここで、送話系フィルタ回路３９を介して警報音が除去された居住者の送話音声信号の送話レベルが管理人からの受話音声信号の受話レベルと比較して低い場合には、送話側利得可変アンプ３７ａの増幅度を小さくし、および／または受話側利得可変アンプ３７ｂの増幅度は大きくなるように制御される。一方、送話系フィルタ回路３９を介して警報音が除去された居住者の送話音声信号の送話レベルが管理人からの受話音声信号の受話レベルと比較して高い場合には、送話側利得可変アンプ３７ａの増幅度を大きくし、および／または受話側利得可変アンプ３７ｂの増幅度は小さくなるように制御されることにより、セキュリティ異常を検知した警報報知器４ａから鳴動されマイク３３へと入力された警報音の影響を受けずに送話レベルおよび受話レベルに応じた送話および／または受話の増幅度を可変させることができ、インタホーン親機３ａにおいて管理室親機２との間のハンズフリー通話が確保される。
【００３３】
なお、第１の動作例では、前述のような警報音の鳴動が警報報知器４ａにて断続して行われているセキュリティ異常時におけるインターホン親機３ａの通話先を、集合住宅の管理室内に在室中の管理人として説明したが、これに限定されず、集合住宅のエントランスに居る来訪者が１０１号室内に在室中の居住者を呼び出すような通話先が来訪者であった場合にも、セキュリティ異常を検知した警報報知器４ａから鳴動されマイク３３へと入力された警報音の影響を受けずに送話レベルおよび受話レベルに応じた送話および／または受話の増幅度を可変させることができ、インタホーン親機３ａにおいて集合玄関機１との間のハンズフリー通話が確保される。また、インターホン親機３ａの送話系フィルタ回路３９は、セキュリティ異常信号を検出したＣＰＵ４１により制御したが、このＣＰＵ４１に限定されず、警報報知器４ａからのセキュリティ異常信号を受信した警報報知器側Ｉ／Ｆ３０により制御することもできる。
【００３４】
次に、前述の第１の動作例にて明らかなように、１０１号室内にてガス漏れが発生した場合において、このセキュリティ異常を検知した警報報知器４ａから鳴動されマイク３３へと入力された警報音の影響を受けず、インターホン親機３ａにおいて管理室親機２（または集合玄関機１）との間のハンズフリー通話を確保させた同様な効果を有する別途の集合住宅インターホンシステムを適用するにあたり、インターホン親機３ａ、３ｂ、・・・の第２の構成例を図２のブロック図に示す。なお、図２のブロック図において、第１の構成例と同様な作用を有する構成各部については、同一な符号を付与して説明は省略する。
【００３５】
図２のブロック図に示すインターホン親機３ａ、３ｂ、・・・はそれぞれ同様な構成であり、警報報知器側Ｉ／Ｆ３０、制御機側Ｉ／Ｆ３１、通話ボタン３２、マイク３３、スピーカ３４、メモリ３５、報知用アンプ３６、送受話レベル調整回路３７、受話用アンプ３８、ハイブリッド回路４０と、マイク３３および送受話レベル調整回路３７の送話側利得可変アンプ３７ａの間に介在され、セキュリティ異常信号を検出した後述するＣＰＵ５１により制御され、送話レベルを調整するための送話レベル調整回路５０と、集合玄関機１または管理室親機２からの呼出信号や自局のインターホン親機に接続された警報報知器４ａ、４ｂ、・・・からのセキュリティ異常信号を検出して、当該インターホン親機の構成各部をそれぞれ制御するためのＣＰＵ５１とを有している。
【００３６】
インターホン親機３ａ、３ｂ、・・・が図２のブロック図に示す第２の構成例として構成された本発明の実施例による集合住宅インターホンシステムにおいて、以下、具体的な動作を第２の動作例として説明する。
【００３７】
なお、図２のブロック図において、１０１号室内にてガス漏れが発生し、このセキュリティ異常を検知した警報報知器４ａから警報音が鳴動されるとともに、インターホン親機３ａにて警報報知が行われ、さらに、前述のような警報音の鳴動が警報報知器４ａにて断続して行われているセキュリティ異常時において、集合住宅の管理室内に在室中の管理人からの呼び出しがインターホン親機３ａにて呼出報知されるまでの動作は、前述の第１の動作例と同様であることから説明は省略する。
【００３８】
図２のブロック図において、集合住宅の管理室内に在室中の管理人からの呼び出しがある旨の呼出報知を確認した１０１号室内に在室中の居住者が当該管理人との間で通話（ハンズフリー通話）に入るためにインターホン親機３ａの通話ボタン３２を操作すると、この応答操作とともに警報報知器４ａからのセキュリティ異常信号を継続して検出しているＣＰＵ５１により送受話レベル調整回路３７、ハイブリッド回路４０、送話レベル調整回路５０がそれぞれ制御され、居住者が使用するマイク３３から送話レベル調整回路５０、送受話レベル調整回路３７の送話側利得可変アンプ３７ａ、ハイブリッド回路４０、制御機側Ｉ／Ｆ３１、制御機５を介して管理人が使用する管理室親機２の受話機能（詳述せず）への通話路と、管理人が使用する管理室親機２の送話機能（詳述せず）から制御機５、インターホン親機３ａの制御機側Ｉ／Ｆ３１、ハイブリッド回路４０、送受話レベル調整回路３７の受話側利得可変アンプ３７ｂ、受話用アンプ３８を介して居住者が使用するスピーカ３４への通話路とがそれぞれ形成される。
【００３９】
ここで、前述の形成されたそれぞれの通話路を介して１０１号室内に在室中の居住者が集合住宅の管理室内に在室中の管理人との間でハンズフリー通話を行うにあたり、インターホン親機３ａのマイク３３には、居住者の送話音声のみならず自住戸（１０１号室）内の警報報知器４ａから断続して鳴動されている警報音が入力される。また、インターホン親機３ａの送話レベル調整回路５０は、マイク３３に入力された居住者の送話音声であり、適宜、信号処理された送話音声信号と警報音とを重畳させた音声信号（以下、警報音重畳音声信号という。）の送話レベルが低くなるように調整した後、送受話レベル調整回路３７の送話側利得可変アンプ３７ａへと出力する。
【００４０】
また、インターホン親機３ａの送受話レベル調整回路３７は、送話レベル調整回路５０を介して低く調整された警報音重畳音声信号の送話レベルおよびハイブリッド回路４０を介して２線／４線変換された来訪者からの受話音声信号の受話レベルを監視しており、当該送話レベルおよび受話レベルに応じて送話側利得可変アンプ３７ａの増幅度および／または受話側利得可変アンプ３７ｂの増幅度を可変させる。ここで、送話レベル調整回路５０を介して低く調整された警報音重畳音声信号の送話レベルが管理人からの受話音声信号の受話レベルと比較して低い場合には、送話側利得可変アンプ３７ａの増幅度を小さくし、および／または受話側利得可変アンプ３７ｂの増幅度は大きくなるように制御される。一方、送話レベル調整回路５０を介して低く調整された警報音重畳音声信号の送話レベルが管理人からの受話音声信号の受話レベルと比較して高い場合には、送話側利得可変アンプ３７ａの増幅度を大きくし、および／または受話側利得可変アンプ３７ｂの増幅度は小さくなるように制御されることにより、セキュリティ異常を検知した警報報知器４ａから鳴動されマイク３３へと入力された警報音の影響を受けずに送話レベルおよび受話レベルに応じた送話および／または受話の増幅度を可変させることができ、インタホーン親機３ａにおいて管理室親機２との間のハンズフリー通話が確保される。
【００４１】
なお、第２の動作例では、前述のような警報音の鳴動が警報報知器４ａにて断続して行われているセキュリティ異常時におけるインターホン親機３ａの通話先を、集合住宅の管理室内に在室中の管理人として説明したが、これに限定されず、集合住宅のエントランスに居る来訪者が１０１号室内に在室中の居住者を呼び出すような通話先が来訪者であった場合にも、セキュリティ異常を検知した警報報知器４ａから鳴動されマイク３３へと入力された警報音の影響を受けずに送話レベルおよび受話レベルに応じた送話および／または受話の増幅度を可変させることができ、インタホーン親機３ａにおいて集合玄関機１との間のハンズフリー通話が確保される。また、インターホン親機３ａの送話レベル調整回路５０は、セキュリティ異常信号を検出したＣＰＵ５１により制御したが、このＣＰＵ５１に限定されず、警報報知器４ａからのセキュリティ異常信号を受信した警報報知器側Ｉ／Ｆ３０により制御することもできる。
【００４２】
次に、前述の第１、第２の各動作例にて明らかなように、１０１号室内にてガス漏れが発生した場合において、このセキュリティ異常を検知した警報報知器４ａから鳴動されマイク３３へと入力された警報音の影響を受けず、インターホン親機３ａにおいて管理室親機２（または集合玄関機１）との間のハンズフリー通話を確保させた同様な効果を有する別途の集合住宅インターホンシステムを適用するにあたり、インターホン親機３ａ、３ｂ、・・・の第３の構成例を図３のブロック図に示す。なお、図３のブロック図において、第１、第２の各構成例と同様な作用を有する構成各部については、同一な符号を付与して説明は省略する。
【００４３】
図３のブロック図に示すインターホン親機３ａ、３ｂ、・・・はそれぞれ同様な構成であり、警報報知器側Ｉ／Ｆ３０、制御機側Ｉ／Ｆ３１、通話ボタン３２、マイク３３、スピーカ３４、メモリ３５、報知用アンプ３６、送受話レベル調整回路３７、受話用アンプ３８、ハイブリッド回路４０と、ハイブリッド回路４０および送受話レベル調整回路３７の受話側利得可変アンプ３７ｂの間に介在され、セキュリティ異常信号を検出した後述するＣＰＵ６１により制御され、受話レベルを調整するための受話レベル調整回路６０と、集合玄関機１または管理室親機２からの呼出信号や自局のインターホン親機に接続された警報報知器４ａ、４ｂ、・・・からのセキュリティ異常信号を検出して、当該インターホン親機の構成各部をそれぞれ制御するためのＣＰＵ６１とを有している。
【００４４】
インターホン親機３ａ、３ｂ、・・・が図３のブロック図に示す第３の構成例として構成された本発明の実施例による集合住宅インターホンシステムにおいて、以下、具体的な動作を第３の動作例として説明する。
【００４５】
なお、図３のブロック図において、１０１号室内にてガス漏れが発生し、このセキュリティ異常を検知した警報報知器４ａから警報音が鳴動されるとともに、インターホン親機３ａにて警報報知が行われ、さらに、前述のような警報音の鳴動が警報報知器４ａにて断続して行われているセキュリティ異常時において、集合住宅の管理室内に在室中の管理人からの呼び出しがインターホン親機３ａにて呼出報知されるまでの動作は、前述の第１、第２の各動作例と同様であることから説明は省略する。
【００４６】
図３のブロック図において、集合住宅の管理室内に在室中の管理人からの呼び出しがある旨の呼出報知を確認した１０１号室内に在室中の居住者が当該管理人との間で通話（ハンズフリー通話）に入るためにインターホン親機３ａの通話ボタン３２を操作すると、この応答操作とともに警報報知器４ａからのセキュリティ異常信号を継続して検出しているＣＰＵ６１により送受話レベル調整回路３７、ハイブリッド回路４０、受話レベル調整回路６０がそれぞれ制御され、居住者が使用するマイク３３から送受話レベル調整回路３７の送話側利得可変アンプ３７ａ、ハイブリッド回路４０、制御機側Ｉ／Ｆ３１、制御機５を介して管理人が使用する管理室親機２の受話機能（詳述せず）への通話路と、管理人が使用する管理室親機２の送話機能（詳述せず）から制御機５、インターホン親機３ａの制御機側Ｉ／Ｆ３１、ハイブリッド回路４０、受話レベル調整回路６０、送受話レベル調整回路３７の受話側利得可変アンプ３７ｂ、受話用アンプ３８を介して居住者が使用するスピーカ３４への通話路とがそれぞれ形成される。
【００４７】
ここで、前述の形成されたそれぞれの通話路を介して１０１号室内に在室中の居住者が集合住宅の管理室内に在室中の管理人との間でハンズフリー通話を行うにあたり、インターホン親機３ａのマイク３３には、居住者の送話音声のみならず自住戸（１０１号室）内の警報報知器４ａから断続して鳴動されている警報音が入力される。また、インターホン親機３ａの受話レベル調整回路６０は、ハイブリッド回路４０を介して２線／４線変換された管理人からの受話音声信号の受話レベルが高くなる、例えば、警報音の影響を受けないように受話レベルを高く調整した後、送受話レベル調整回路３７の受話側利得可変アンプ３７ｂへと出力する。
【００４８】
また、インターホン親機３ａの送受話レベル調整回路３７は、マイク３３に入力された居住者の送話音声であり、適宜、信号処理された送話音声信号と警報音とを重畳させた警報音重畳音声信号の送話レベルおよび受話レベル調整回路６０を介して警報音の影響を受けないように高く調整された管理人からの受話音声信号の受話レベルを監視しており、当該送話レベルおよび受話レベルに応じて送話側利得可変アンプ３７ａの増幅度および／または受話側利得可変アンプ３７ｂの増幅度を可変させる。ここで、マイク３３からの警報音重畳音声信号の送話レベルが受話レベル調整回路６０を介して警報音の影響を受けないように高く調整された管理人からの受話音声信号の受話レベルと比較して低い場合には、送話側利得可変アンプ３７ａの増幅度を小さくし、および／または受話側利得可変アンプ３７ｂの増幅度は大きくなるように制御される。一方、マイク３３からの警報音重畳音声信号の送話レベルが受話レベル調整回路６０を介して警報音の影響を受けないように高く調整された管理人からの受話音声信号の受話レベルと比較して高い場合には、送話側利得可変アンプ３７ａの増幅度を大きくし、および／または受話側利得可変アンプ３７ｂの増幅度は小さくなるように制御されることにより、セキュリティ異常を検知した警報報知器４ａから鳴動されマイク３３へと入力された警報音の影響を受けずに送話レベルおよび受話レベルに応じた送話および／または受話の増幅度を可変させることができ、インタホーン親機３ａにおいて管理室親機２との間のハンズフリー通話が確保される。
【００４９】
なお、第３の動作例では、前述のような警報音の鳴動が警報報知器４ａにて断続して行われているセキュリティ異常時におけるインターホン親機３ａの通話先を、集合住宅の管理室内に在室中の管理人として説明したが、これに限定されず、集合住宅のエントランスに居る来訪者が１０１号室内に在室中の居住者を呼び出すような通話先が来訪者であった場合にも、セキュリティ異常を検知した警報報知器４ａから鳴動されマイク３３へと入力された警報音の影響を受けずに送話レベルおよび受話レベルに応じた送話および／または受話の増幅度を可変させることができ、インタホーン親機３ａにおいて集合玄関機１との間のハンズフリー通話が確保される。また、インターホン親機３ａの受話レベル調整回路６０は、セキュリティ異常信号を検出したＣＰＵ６１により制御したが、このＣＰＵ６１に限定されず、警報報知器４ａからのセキュリティ異常信号を受信した警報報知器側Ｉ／Ｆ３０により制御することもできる。
【００５０】
次に、前述の第１〜第３の各動作例にて明らかなように、１０１号室内にてガス漏れが発生した場合において、このセキュリティ異常を検知した警報報知器４ａから鳴動されマイク３３へと入力された警報音の影響を受けず、インターホン親機３ａにおいて管理室親機２（または集合玄関機１）との間のハンズフリー通話を確保させた同様な効果を有する別途の集合住宅インターホンシステムを適用するにあたり、インターホン親機３ａ、３ｂ、・・・の第４の構成例を図４のブロック図に示す。なお、図４のブロック図において、第１〜第３の各構成例と同様な作用を有する構成各部については、同一な符号を付与して説明は省略する。
【００５１】
図４のブロック図に示すインターホン親機３ａ、３ｂ、・・・はそれぞれ同様な構成であり、警報報知器側Ｉ／Ｆ３０、制御機側Ｉ／Ｆ３１、通話ボタン３２、マイク３３、スピーカ３４、メモリ３５、報知用アンプ３６、送受話レベル調整回路３７、受話用アンプ３８、ハイブリッド回路４０と、ハイブリッド回路４０および送受話レベル調整回路３７の受話側利得可変アンプ３７ｂの間に入力側が接続され、セキュリティ異常信号を検出した後述するＣＰＵ７１により制御され、ハイブリッド回路４０から送受話レベル調整回路３７の受話側利得可変アンプ３７ｂへの受話ラインをバイパスして（受話用アンプ３８を介して）スピーカ３４に管理人からの受話音声信号を出力するためのスイッチ７０ａおよびアンプ（以下、バイパス用アンプという。）７０ｂが備えられた受話バイパス回路７０と、集合玄関機１または管理室親機２からの呼出信号や自局のインターホン親機に接続された警報報知器４ａ、４ｂ、・・・からのセキュリティ異常信号を検出して、当該インターホン親機の構成各部をそれぞれ制御するためのＣＰＵ７１とを有している。
【００５２】
インターホン親機３ａ、３ｂ、・・・が図４のブロック図に示す第４の構成例として構成された本発明の実施例による集合住宅インターホンシステムにおいて、以下、具体的な動作を第４の動作例として説明する。
【００５３】
なお、図４のブロック図において、１０１号室内にてガス漏れが発生し、このセキュリティ異常を検知した警報報知器４ａから警報音が鳴動されるとともに、インターホン親機３ａにて警報報知が行われ、さらに、前述のような警報音の鳴動が警報報知器４ａにて断続して行われているセキュリティ異常時において、集合住宅の管理室内に在室中の管理人からの呼び出しがインターホン親機３ａにて呼出報知されるまでの動作は、前述の第１〜第３の各動作例と同様であることから説明は省略する。
【００５４】
図４のブロック図において、集合住宅の管理室内に在室中の管理人からの呼び出しがある旨の呼出報知を確認した１０１号室内に在室中の居住者が当該管理人との間で通話（ハンズフリー通話）に入るためにインターホン親機３ａの通話ボタン３２を操作すると、この応答操作とともに警報報知器４ａからのセキュリティ異常信号を継続して検出しているＣＰＵ７１により送受話レベル調整回路３７、ハイブリッド回路４０、受話バイパス回路７０がそれぞれ制御され、居住者が使用するマイク３３から送受話レベル調整回路３７の送話側利得可変アンプ３７ａ、ハイブリッド回路４０、制御機側Ｉ／Ｆ３１、制御機５を介して管理人が使用する管理室親機２の受話機能（詳述せず）への通話路と、管理人が使用する管理室親機２の送話機能（詳述せず）から制御機５、インターホン親機３ａの制御機側Ｉ／Ｆ３１、ハイブリッド回路４０、受話バイパス回路７０のオン状態のスイッチ７０ａおよびバイパス用アンプ７０ｂ、受話用アンプ３８を介して居住者が使用するスピーカ３４への通話路と、管理人が使用する管理室親機２の送話機能（詳述せず）から制御機５、インターホン親機３ａの制御機側Ｉ／Ｆ３１、ハイブリッド回路４０、送受話レベル調整回路３７の受話側利得可変アンプ３７ｂ、受話用アンプ３８を介して居住者が使用するスピーカ３４への通話路とがそれぞれ形成される。
【００５５】
ここで、前述の形成されたそれぞれの通話路を介して１０１号室内に在室中の居住者が集合住宅の管理室内に在室中の管理人との間でハンズフリー通話を行うにあたり、インターホン親機３ａのマイク３３には、居住者の送話音声のみならず自住戸（１０１号室）内の警報報知器４ａから断続して鳴動されている警報音が入力される。また、インターホン親機３ａの受話バイパス回路７０において、バイパス用アンプ７０ｂは、ハイブリッド回路４０を介して２線／４線変換され、オン状態のスイッチ７０ａを介して伝送されてきた管理人からの受話音声信号（の受話レベル）を増幅した後、受話用アンプ３８を介してスピーカ３４へと出力することにより、警報音の影響を受けることなく通話中における任意の受話音声をスピーカ３４から出力させることができる。
【００５６】
また、インターホン親機３ａの送受話レベル調整回路３７は、マイク３３に入力された居住者の送話音声であり、適宜、信号処理された送話音声信号と警報音とを重畳させた警報音重畳音声信号の送話レベルおよびハイブリッド回路４０を介して２線／４線変換された管理人からの受話音声信号の受話レベルを監視しており、当該送話レベルおよび受話レベルに応じて送話側利得可変アンプ３７ａの増幅度および／または受話側利得可変アンプ３７ｂの増幅度を可変させる。ここで、マイク３３からの警報音重畳音声信号の送話レベルが警報音の影響を受けたのにも拘わらず管理人からの受話音声信号の受話レベルと比較して低い場合には、送話側利得可変アンプ３７ａの増幅度を小さくし、および／または受話側利得可変アンプ３７ｂの増幅度は大きくなるように制御される。一方、マイク３３からの警報音重畳音声信号の送話レベルが警報音の影響を受けて管理人からの受話音声信号の受話レベルと比較して高い場合には、送話側利得可変アンプ３７ａの増幅度を大きくし、および／または受話側利得可変アンプ３７ｂの増幅度は小さくなるように制御され、管理人からの受話音声が居住者にとっての聴き取りが困難な低い受話レベルでスピーカ３４から出力される虞を有するが、前述のように、受話バイパス回路７０を介してバイパスされた管理人からの受話音声信号が警報音の影響を受けることなく通話中における任意の受話音声としてスピーカ３４から出力させることができ、インタホーン親機３ａにおいて管理室親機２との間のハンズフリー通話が確保される。
【００５７】
なお、第４の動作例では、前述のような警報音の鳴動が警報報知器４ａにて断続して行われているセキュリティ異常時におけるインターホン親機３ａの通話先を、集合住宅の管理室内に在室中の管理人として説明したが、これに限定されず、集合住宅のエントランスに居る来訪者が１０１号室内に在室中の居住者を呼び出すような通話先が来訪者であった場合にも、セキュリティ異常を検知した警報報知器４ａから鳴動されマイク３３へと入力された警報音の影響を受けずに通話中における任意の受話音声をスピーカ３４から出力させることができ、インタホーン親機３ａにおいて集合玄関機１との間のハンズフリー通話が確保される。また、インターホン親機３ａの受話バイパス回路７０は、セキュリティ異常信号を検出したＣＰＵ７１により制御したが、このＣＰＵ７１に限定されず、警報報知器４ａからのセキュリティ異常信号を受信した警報報知器側Ｉ／Ｆ３０により制御することもできる。
【００５８】
次に、前述の第１〜第４の各動作例にて明らかなように、１０１号室内にてガス漏れが発生した場合において、このセキュリティ異常を検知した警報報知器４ａから鳴動されマイク３３へと入力された警報音の影響を受けず、インターホン親機３ａにおいて管理室親機２（または集合玄関機１）との間のハンズフリー通話を確保させた同様な効果を有する別途の集合住宅インターホンシステムを適用するにあたり、インターホン親機３ａ、３ｂ、・・・の第５の構成例を図５のブロック図に示す。なお、図５のブロック図において、第１〜第４の各構成例と同様な作用を有する構成各部については、同一な符号を付与して説明は省略する。
【００５９】
図５のブロック図に示すインターホン親機３ａ、３ｂ、・・・はそれぞれ同様な構成であり、警報報知器側Ｉ／Ｆ３０、制御機側Ｉ／Ｆ３１、通話ボタン３２、マイク３３、スピーカ３４、メモリ３５、報知用アンプ３６、送受話レベル調整回路３７、受話用アンプ３８、ハイブリッド回路４０、受話バイパス回路７０と、ハイブリッド回路４０および送受話レベル調整回路３７の受話側利得可変アンプ３７ｂの間に介在され、セキュリティ異常信号を検出した後述するＣＰＵ８１により制御され、受話レベルを調整するための受話レベル調整回路８０と、集合玄関機１または管理室親機２からの呼出信号や自局のインターホン親機に接続された警報報知器４ａ、４ｂ、・・・からのセキュリティ異常信号を検出して、当該インターホン親機の構成各部をそれぞれ制御するためのＣＰＵ８１とを有している。
【００６０】
インターホン親機３ａ、３ｂ、・・・が図５のブロック図に示す第５の構成例として構成された本発明の実施例による集合住宅インターホンシステムにおいて、以下、具体的な動作を第５の動作例として説明する。
【００６１】
なお、図５のブロック図において、１０１号室内にてガス漏れが発生し、このセキュリティ異常を検知した警報報知器４ａから警報音が鳴動されるとともに、インターホン親機３ａにて警報報知が行われ、さらに、前述のような警報音の鳴動が警報報知器４ａにて断続して行われているセキュリティ異常時において、集合住宅の管理室内に在室中の管理人からの呼び出しがインターホン親機３ａにて呼出報知されるまでの動作は、前述の第１〜第４の各動作例と同様であることから説明は省略する。
【００６２】
図５のブロック図において、集合住宅の管理室内に在室中の管理人からの呼び出しがある旨の呼出報知を確認した１０１号室内に在室中の居住者が当該管理人との間で通話（ハンズフリー通話）に入るためにインターホン親機３ａの通話ボタン３２を操作すると、この応答操作とともに警報報知器４ａからのセキュリティ異常信号を継続して検出しているＣＰＵ８１により送受話レベル調整回路３７、ハイブリッド回路４０、受話バイパス回路７０、受話レベル調整回路８０がそれぞれ制御され、居住者が使用するマイク３３から送受話レベル調整回路３７の送話側利得可変アンプ３７ａ、ハイブリッド回路４０、制御機側Ｉ／Ｆ３１、制御機５を介して管理人が使用する管理室親機２の受話機能（詳述せず）への通話路と、管理人が使用する管理室親機２の送話機能（詳述せず）から制御機５、インターホン親機３ａの制御機側Ｉ／Ｆ３１、ハイブリッド回路４０、受話バイパス回路７０のオン状態のスイッチ７０ａおよびバイパス用アンプ７０ｂ、受話用アンプ３８を介して居住者が使用するスピーカ３４への通話路と、管理人が使用する管理室親機２の送話機能（詳述せず）から制御機５、インターホン親機３ａの制御機側Ｉ／Ｆ３１、ハイブリッド回路４０、受話レベル調整回路８０、送受話レベル調整回路３７の受話側利得可変アンプ３７ｂ、受話用アンプ３８を介して居住者が使用するスピーカ３４への通話路とがそれぞれ形成される。
【００６３】
ここで、前述の形成されたそれぞれの通話路を介して１０１号室内に在室中の居住者が集合住宅の管理室内に在室中の管理人との間でハンズフリー通話を行うにあたり、インターホン親機３ａのマイク３３には、居住者の送話音声のみならず自住戸（１０１号室）内の警報報知器４ａから断続して鳴動されている警報音が入力される。また、インターホン親機３ａの受話バイパス回路７０において、バイパス用アンプ７０ｂは、ハイブリッド回路４０を介して２線／４線変換され、オン状態のスイッチ７０ａを介して伝送されてきた管理人からの受話音声信号（の受話レベル）を増幅した後、受話用アンプ３８を介してスピーカ３４へと出力することにより、警報音の影響を受けることなく通話中における任意の受話音声をスピーカ３４から出力させることができる。さらに、インターホン親機３ａの受話レベル調整回路８０は、ハイブリッド回路４０を介して２線／４線変換された管理人からの受話音声信号の受話レベルが高くなる、例えば、警報音の影響を受けないように受話レベルを高く調整した後、送受話レベル調整回路３７の受話側利得可変アンプ３７ｂへと出力する。
【００６４】
また、インターホン親機３ａの送受話レベル調整回路３７は、マイク３３に入力された居住者の送話音声であり、適宜、信号処理された送話音声信号と警報音とを重畳させた警報音重畳音声信号の送話レベルおよび受話レベル調整回路８０を介して警報音の影響を受けないように高く調整された管理人からの受話音声信号の受話レベルを監視しており、当該送話レベルおよび受話レベルに応じて送話側利得可変アンプ３７ａの増幅度および／または受話側利得可変アンプ３７ｂの増幅度を可変させる。ここで、マイク３３からの警報音重畳音声信号の送話レベルが受話レベル調整回路８０を介して警報音の影響を受けないように高く調整された管理人からの受話音声信号の受話レベルと比較して低い場合には、前述の第３の動作例と同様、送話側利得可変アンプ３７ａの増幅度を小さくし、および／または受話側利得可変アンプ３７ｂの増幅度は大きくなるように制御される。一方、マイク３３からの警報音重畳音声信号の送話レベルが受話レベル調整回路８０を介して警報音の影響を受けないように高く調整された管理人からの受話音声信号の受話レベルと比較して高い場合には、前述の第３の動作例と同様、送話側利得可変アンプ３７ａの増幅度を大きくし、および／または受話側利得可変アンプ３７ｂの増幅度は小さくなるように制御され、来訪者からの受話音声が居住者にとっての聴き取りが困難な低い受話レベルでスピーカ３４から出力される虞を有するが、前述のように、受話バイパス回路７０を介してバイパスされた来訪者からの受話音声信号が警報音の影響を受けることなく通話中における任意の受話音声としてスピーカ３４から出力させることができ、インタホーン親機３ａにおいて管理室親機２との間のハンズフリー通話が確保される。
【００６５】
なお、第５の動作例では、前述のような警報音の鳴動が警報報知器４ａにて断続して行われているセキュリティ異常時におけるインターホン親機３ａの通話先を、集合住宅の管理室内に在室中の管理人として説明したが、これに限定されず、集合住宅のエントランスに居る来訪者が１０１号室内に在室中の居住者を呼び出すような通話先が来訪者であった場合にも、セキュリティ異常を検知した警報報知器４ａから鳴動されマイク３３へと入力された警報音の影響を受けずに通話中における任意の受話音声をスピーカ３４から出力させることができ、インタホーン親機３ａにおいて集合玄関機１との間のハンズフリー通話が確保される。また、インターホン親機３ａの受話バイパス回路７０および受話レベル調整回路８０は、それぞれセキュリティ異常信号を検出したＣＰＵ８１により制御したが、このＣＰＵ８１に限定されず、警報報知器４ａからのセキュリティ異常信号を受信した警報報知器側Ｉ／Ｆ３０により制御することもできる。
【００６６】
次に、前述の第１〜第５の各動作例にて明らかなように、１０１号室内にてガス漏れが発生した場合において、このセキュリティ異常を検知した警報報知器４ａから鳴動されマイク３３へと入力された警報音の影響を受けず、インターホン親機３ａにおいて管理室親機２（または集合玄関機１）との間のハンズフリー通話を確保させた同様な効果を有する別途の集合住宅インターホンシステムを適用するにあたり、インターホン親機３ａ、３ｂ、・・・の第６の構成例を図６のブロック図に示す。なお、図６のブロック図において、第１〜第５の各構成例と同様な作用を有する構成各部については、同一な符号を付与して説明は省略する。
【００６７】
図６のブロック図に示すインターホン親機３ａ、３ｂ、・・・はそれぞれ同様な構成であり、警報報知器側Ｉ／Ｆ３０、制御機側Ｉ／Ｆ３１、通話ボタン３２、マイク３３、スピーカ３４、メモリ３５、報知用アンプ３６、送受話レベル調整回路３７、受話用アンプ３８、ハイブリッド回路４０、受話バイパス回路７０と、ハイブリッド回路４０および送受話レベル調整回路３７の受話側利得可変アンプ３７ｂの間に介在され、セキュリティ異常信号を検出した後述するＣＰＵ９１により制御され、ハイブリッド回路４０から送受話レベル調整回路３７の受話側利得可変アンプ３７ｂへの受話ラインを遮断／形成するための受話ライン制御回路９０と、集合玄関機１または管理室親機２からの呼出信号や自局のインターホン親機に接続された警報報知器４ａ、４ｂ、・・・からのセキュリティ異常信号を検出して、当該インターホン親機の構成各部をそれぞれ制御するためのＣＰＵ９１とを有している。
【００６８】
インターホン親機３ａ、３ｂ、・・・が図６のブロック図に示す第６の構成例として構成された本発明の実施例による集合住宅インターホンシステムにおいて、以下、具体的な動作を第６の動作例として説明する。
【００６９】
なお、図６のブロック図において、１０１号室内にてガス漏れが発生し、このセキュリティ異常を検知した警報報知器４ａから警報音が鳴動されるとともに、インターホン親機３ａにて警報報知が行われ、さらに、前述のような警報音の鳴動が警報報知器４ａにて断続して行われているセキュリティ異常時において、集合住宅の管理室内に在室中の管理人からの呼び出しがインターホン親機３ａにて呼出報知されるまでの動作は、前述の第１〜第５の各動作例と同様であることから説明は省略する。
【００７０】
図６のブロック図において、集合住宅の管理室内に在室中の管理人からの呼び出しがある旨の呼出報知を確認した１０１号室内に在室中の居住者が当該管理人との間で通話（ハンズフリー通話）に入るためにインターホン親機３ａの通話ボタン３２を操作すると、この応答操作とともに警報報知器４ａからのセキュリティ異常信号を継続して検出しているＣＰＵ９１により送受話レベル調整回路３７、ハイブリッド回路４０、受話バイパス回路７０、受話ライン制御回路９０がそれぞれ制御され、居住者が使用するマイク３３から送受話レベル調整回路３７の送話側利得可変アンプ３７ａ、ハイブリッド回路４０、制御機側Ｉ／Ｆ３１、制御機５を介して管理人が使用する管理室親機２の受話機能（詳述せず）への通話路と、管理人が使用する管理室親機２の送話機能（詳述せず）から制御機５、インターホン親機３ａの制御機側Ｉ／Ｆ３１、ハイブリッド回路４０、受話バイパス回路７０のオン状態のスイッチ７０ａおよびバイパス用アンプ７０ｂ、受話用アンプ３８を介して居住者が使用するスピーカ３４への通話路とがそれぞれ形成される。一方、ハイブリッド回路４０から送受話レベル調整回路３７の受話側利得可変アンプ３７ｂへの通話路、すなわち、受話ラインは遮断される。
【００７１】
ここで、前述の形成されたそれぞれの通話路を介して１０１号室内に在室中の居住者が集合住宅の管理室内に在室中の管理人との間でハンズフリー通話を行うにあたり、インターホン親機３ａのマイク３３には、居住者の送話音声のみならず自住戸（１０１号室）内の警報報知器４ａから断続して鳴動されている警報音が入力される。また、インターホン親機３ａの受話バイパス回路７０において、バイパス用アンプ７０ｂは、ハイブリッド回路４０を介して２線／４線変換され、オン状態のスイッチ７０ａを介して伝送されてきた来訪者からの受話音声信号（の受話レベル）を増幅した後、受話用アンプ３８を介してスピーカ３４へと出力することにより、警報音の影響を受けることなく通話中における任意の受話音声をスピーカ３４から出力させることができる。
【００７２】
また、インターホン親機３ａの送受話レベル調整回路３７は、マイク３３に入力された居住者の送話音声であり、適宜、信号処理された送話音声信号と警報音とを重畳させた警報音重畳音声信号の送話レベルおよびハイブリッド回路４０を介して４線／２線変換された後、受話ライン制御回路９０を介して伝送されてくる管理人からの受話音声信号の受話レベルを監視しており、前述の第１〜第５の各動作例と同様、当該送話レベルおよび受話レベルに応じて送話側利得可変アンプ３７ａの増幅度および／または受話側利得可変アンプ３７ｂの増幅度を可変させるが、ハイブリッド回路４０から送受話レベル調整回路３７の受話側利得可変アンプ３７ｂへの受話ラインが遮断されているため、マイク３３からの警報音重畳音声信号の送話レベルを管理人からの受話音声の受話レベルに変動に関係なく送話側利得可変アンプ３７ａを介して増幅させる。一方、前述のような受話バイパス回路７０を介してバイパスされた来訪者からの受話音声信号が警報音の影響を受けることなく通話中における任意の受話音声としてスピーカ３４から出力させることができ、インタホーン親機３ａにおいて管理室親機２との間のハンズフリー通話が確保される。
【００７３】
なお、第６の動作例では、前述のような警報音の鳴動が警報報知器４ａにて断続して行われているセキュリティ異常時におけるインターホン親機３ａの通話先を、集合住宅の管理室内に在室中の管理人として説明したが、これに限定されず、集合住宅のエントランスに居る来訪者が１０１号室内に在室中の居住者を呼び出すような通話先が来訪者であった場合にも、セキュリティ異常を検知した警報報知器４ａから鳴動されマイク３３へと入力された警報音の影響を受けずに通話中における任意の受話音声をスピーカ３４から出力させることができ、インタホーン親機３ａにおいて集合玄関機１との間のハンズフリー通話が確保される。また、インターホン親機３ａの受話バイパス回路７０および受話ライン制御回路９０は、それぞれセキュリティ異常信号を検出したＣＰＵ９１により制御したが、このＣＰＵ９１に限定されず、警報報知器４ａからのセキュリティ異常信号を受信した警報報知器側Ｉ／Ｆ３０により制御することもできる。
【産業上の利用可能性】
【００７４】
本発明の実施例による集合住宅インターホンシステムにおいて、第１〜第６の各構成例のインターホン親機３ａ、３ｂ、・・・を適用させた第１〜第６の各動作例によれば、警報報知器４ａ、４ｂ、・・・にて警報音が断続して鳴動されているセキュリティ異常時に集合住宅の管理室内に在室中の管理人からの呼び出しや前述の警報移報を確認した後の管理人による応答（詳述せず）、または集合住宅のエントランスに居る来訪者からの呼び出しがあり、これらの呼び出し（確認応答）を確認した住戸内に在室中の居住者が応答してハンズフリー通話を行う場合について説明したが、この状態に限定されず、集合住宅の管理室内に在室中の管理人からの呼び出し、または集合住宅のエントランスに居る来訪者からの呼び出しがあり、これらの呼び出しを確認した住戸内に在室中の居住者が応答してハンズフリー通話を行っている通話中に当該住戸内にて発生したセキュリティ異常を警報報知器４ａ、４ｂ、・・・が検知して警報音が鳴動された場合についても、前述の第１〜第６の各動作例と同様な効果を奏する。
【００７５】
また、本発明の実施例による集合住宅インターホンシステムにおいて、第１〜第６の各構成例のインターホン親機３ａ、３ｂ、・・・によれば、来訪者による集合玄関機１からの呼び出し、または管理人による管理室親機２からの呼び出しがある旨の呼出音（音声メッセージを含む）や自住戸内の警報報知器４ａ、４ｂ、・・・にて検知されたセキュリティ異常の内容を示す警報音（音声メッセージを含む）をメモリ３５に予め記憶させた場合について説明したが、この態様に限定されず、前述の呼出音（音声メッセージを含む）や警報音（音声メッセージを含む）を生成するような音声合成回路の適用も好適であり、前述の第１〜第６の各動作例と同様な効果を奏する。
【００７６】
また、本発明の実施例による集合住宅インターホンシステムにおいて、第１の構成例のインターホン親機３ａ、３ｂ、・・・を適用させた第１の各動作例によれば、マイク３３に入力された警報音を除去し、居住者の送話音声であり、適宜、信号処理された送話音声信号のみを送受話レベル調整回路３７の送話側利得可変アンプ３７ａへと出力する送話系フィルタ回路３９をバンドエリミネーションまたはノッチフィルタにて構成したが、この態様に限定されず、送話音声信号の周波数帯域のみを通過させる帯域通過フィルタ等のようなバンドパスフィルタの適用も好適であり、前述の第１の動作例と同様な効果を奏する。
【００７７】
さらに、本発明の実施例による集合住宅インターホンシステムによれば、当該システムを集合住宅に適用させたが、インターホン親機３ａ、３ｂ、・・・および警報報知器４ａ、４ｂ、・・・を戸建住戸に設置することもでき、戸建住戸用のインターホンシステムへと適用するにあたり、インターホン親機３ａ、３ｂ、・・・は、住戸玄関に設置される玄関子機（図示せず）との間でハンズフリー通話を行う場合において良好な通話音質が確保できるように、前述の第１〜第６の各動作例と同様な効果を奏する。
【図面の簡単な説明】
【００７８】
【図１】本発明の実施例による集合住宅インターホンシステムにおいて、第１の構成例としてのインターホン親機が備えられた当該システムの構成を示すブロック図。
【図２】本発明の実施例による集合住宅インターホンシステムにおいて、第２の構成例としてのインターホン親機が備えられた当該システムの構成を示すブロック図。
【図３】本発明の実施例による集合住宅インターホンシステムにおいて、第３の構成例としてのインターホン親機が備えられた当該システムの構成を示すブロック図。
【図４】本発明の実施例による集合住宅インターホンシステムにおいて、第４の構成例としてのインターホン親機が備えられた当該システムの構成を示すブロック図。
【図５】本発明の実施例による集合住宅インターホンシステムにおいて、第５の構成例としてのインターホン親機が備えられた当該システムの構成を示すブロック図。
【図６】本発明の実施例による集合住宅インターホンシステムにおいて、第６の構成例としてのインターホン親機が備えられた当該システムの構成を示すブロック図。
【符号の説明】
【００７９】
１……集合玄関機
２……管理室親機
３ａ、３ｂ、・・・、・・・ ……インターホン親機
３３……マイク
３４……スピーカ
３７……送受話レベル調整回路
３９……送話系フィルタ回路
４１、５１、６１、７１、８１、９１……ＣＰＵ
５０……送話レベル調整回路
６０、８０……受話レベル調整回路
７０……受話バイパス回路
９０……受話ライン制御回路
４ａ、４ｂ、・・・ ……警報報知器
５……制御機
【図１】
2006042040.tif 000003
【図２】
2006042040.tif 000004
【図３】
2006042040.tif 000005
【図４】
2006042040.tif 000006
【図５】
2006042040.tif 000007
【図６】
2006042040.tif 000008